(57)【要約】【課題】本考案では、トイレという限られたスペースを有効、且つ、機能的に活かすこのできるトイレ用手摺り棚ユニットを提供することを目的とする。【解決手段】トイレ側壁面Ａに凹状壁面部１２を形成し、該凹状壁面部１２により構成される凹状空間２２における上下方向の中途部に棚１４，２４，３４を備え、上記棚１４，２４，３４の前部に貫通孔１５を形成して該貫通孔１５の縁部を把持する把持部１６，３６を形成し、上記凹状空間２２における上記棚１４，２４，３４に対して上方側の上方空間２３と下方側の下方空間とのそれぞれを、上記把持部１６，３６を把持可能な大きさを備えて構成し、上記上方空間２３における上記把持部１６，３６の上方に対して側方に偏移させた位置にペーパーホルダ１７を備えたトイレ用手摺り棚ユニット１１，２１，３１。【選択図】図１
0003129487.tif 000002
【実用新案登録請求の範囲】
【請求項１】
トイレ側壁面に凹状壁面部を形成し、該凹状壁面部により構成される凹状空間における上下方向の中途部に棚を備え、
上記棚の前部に貫通孔を形成して該貫通孔の縁部を把持する把持部を形成し、
上記凹状空間における上記棚に対して上方側の上方空間と下方側の下方空間とのそれぞれを、上記把持部を把持可能な大きさを備えて構成し、
上記上方空間にペーパーホルダを備えた
トイレ用手摺り棚ユニット。
【請求項２】
上記上方空間における上記把持部の上方側の空間を、上記把持部を把持した状態で肘を立てた姿勢の腕の少なくとも前腕部が入り込む大きさで構成し、
上記ペーパーホルダは、上記上方空間における上記把持部の上方に対して側方に偏移させた位置に備えられた
請求項１に記載のトイレ用手摺り棚ユニット。
【請求項３】
上記凹状壁面部を上記トイレ側壁面における便器に対して斜め前方部位に形成し、
上記棚の前部における少なくとも上記把持部を上記便器と略対向する斜め前方へ突設させた
請求項１、又は、請求項２に記載のトイレ用手摺り棚ユニット。
【請求項４】
上記棚における上記把持部の少なくとも表面部をウレタンにより構成した
請求項１から請求項３のうちいずれか１項に記載のトイレ用手摺り棚ユニット。
【請求項５】
上記凹状空間の下端面に上記棚とは別の第二の棚を備え、
上記凹状空間における上記下方空間を、上記第二の棚にトイレットペーパーを載置可能な大きさに構成した
請求項１から請求項４のうちいずれか１項に記載のトイレ用手摺り棚ユニット。
【考案の詳細な説明】
【技術分野】
【０００１】
この考案は、トイレの壁面に設けられ、便座に対して着座動作、及び、起立動作を補助する手摺りとして兼用することのできるトイレ用手摺り棚ユニットに関する。
【背景技術】
【０００２】
トイレの便座に対する着座動作、及び、起立動作は、日常的に行われる動作であるため、殊に高齢者にとって膝や腰などに負担となり、転倒しまうおそれもあった。
【０００３】
このような背景の下、下記特許文献１において「手摺り付き棚」が開示されている。  
下記特許文献１によれば、「手摺り付き棚」は、トイレの側壁面から水平に突き出した形態であり、棚としても用いることができる手摺りである。
【０００４】
ところが、このような「手摺り付き棚」は、トイレ壁面から突き出した形態であるため、家庭用のトイレなど限られたスペースに設けた場合、利用者の腰などがあたるなどして邪魔になるという難点を有していた。
【０００５】
さらに、このような「手摺り付き棚」は、トイレ側壁面から突き出した形態であり、通常、トイレ側壁面に対して片持ち支持された構成となるため、強度を確保し難いという難点や、外観上の見栄えも好ましくないといった難点も有していた。
【特許文献１】特開２０００−１９７５９０号公報
【考案の開示】
【考案が解決しようとする課題】
【０００６】
そこで本考案では、限られたトイレのスペースを有効、且つ、機能的に活かすこのできるトイレ用手摺り棚ユニットを提供することを目的とする。
【課題を解決するための手段】
【０００７】
本考案におけるトイレ用手摺り棚ユニットは、トイレ側壁面に凹状壁面部を形成し、該凹状壁面部により構成される凹状空間における上下方向の中途部に棚を備え、上記棚の前部に貫通孔を形成して該貫通孔の縁部を把持する把持部を形成し、上記凹状空間における上記棚に対して上方側の上方空間と下方側の下方空間とのそれぞれを、上記把持部を把持可能な大きさを備えて構成し、上記上方空間にペーパーホルダを備えた構成であることを特徴とする。
【０００８】
上述したように手摺りとしても兼用される把持部を備えた棚を、凹状壁面部に取り付けることにより、トイレ壁面に対して突き出した形態で取り付けるよりもしっかりと取り付けることができ、利用者の体重をかけることができるだけの強度を確保することができるというメリットを有する。
【０００９】
なお、本考案のトイレ用手摺り棚ユニットは、上記凹状空間にトイレホルダとともに、或いは、トイレホルダとは別にタオルホルダなどの別の部材を備えて構成してもよい。
【００１０】
さらに、本考案におけるトイレ用手摺り棚ユニットは、上記上方空間における上記把持部の上方側の空間を、上記把持部を把持した状態で肘を立てた姿勢の腕の少なくとも前腕部が入り込む大きさで構成し、上記ペーパーホルダは、上記上方空間における上記把持部の上方に対して側方に偏移させた位置に備えられた構成であることが好ましい。
【００１１】
このように構成すれば、利用者が把持部を把持したとき、トイレ壁面に利用者の前腕部が干渉してしまうことを回避することができる。このため、利用者は、上記把持部を把持した状態で肘を立てた姿勢、すなわち、棚に対して体重をかけ易い姿勢を維持して起立することができる。
【００１２】
また、上記凹状空間における上記上方空間は、上記前腕部のみに限らず上腕部や肩部を含めた腕全体が入り込む大きさで構成してもよい。
【００１３】
さらに、本考案におけるトイレ用手摺り棚ユニットは、上記凹状壁面部を上記トイレ側壁面における便器に対して斜め前方部位に形成し、上記棚の前部における少なくとも上記把持部を上記便器と略対向する斜め前方へ突設させて構成することもできる。
【００１４】
上記構成により、便座の側へ把持部を近づけることができるため、把持部を把持した状態でより自らの体重を棚にかけ易くなり、例えば、便座からの起立動作をより一層、スムーズに行えるというメリットを有する。
【００１５】
なお、上述した構成のトイレ用手摺り棚ユニットは、殊に広いスペースを有するトイレに設けるに適した構成であるといえる。
【００１６】
さらにまた、本考案におけるトイレ用手摺り棚ユニットは、上記棚における上記把持部の少なくとも表面部をウレタンにより構成することもできる。
【００１７】
このように上記把持部の少なくとも表面部を、ウレタンにより構成することにより、例えば、表面部に、細菌や汚れが付着したり含浸したり難く、また、容易に拭き取ることができる表面部を構成することができる。このため、例えば、表面部にあらわれた木目などの凹凸により細菌などが付着し易い把持部に対して、その表面部にウレタン加工を施して構成することが殊に有効である。
【００１８】
なお、上記棚における上記把持部の少なくとも表面部は、ウレタン以外にも、例えば、合成樹脂、ゴムなどの部材により構成してもよいが、ウレタンにより構成することで、把持部を把持したときに優れたフィット感を得ることができる。
【００１９】
本考案におけるトイレ用手摺り棚ユニットは、上記凹状空間の下端面に上記棚とは別の第二の棚を備え、上記凹状空間における上記下方空間を、上記第二の棚にトイレットペーパーを載置可能な大きさに構成することが好ましい。
【００２０】
このような構成により、上記第二の棚に予備用のトイレットペーパーをストックしておくことができ、下側の空間も有効に活かすことができる。勿論、上記棚、及び、上記第二の棚には、トイレットペーパー以外にも芳香剤などの品物を適宜、載置することができる。
【考案の効果】
【００２１】
本考案のトイレ用手摺り棚ユニットは、把持部を備えた棚を、凹状壁面部に設けた構成であるため、利用者は、該棚を手摺りとしても兼用することができる。しかも、棚のスペースを確保しつつ、棚やトイレにおいて必須の構成であるトイレホルダもトイレ側壁面に対して突き出さないで設けることができるため、利用者にとって邪魔になることもない。
【００２２】
従って、本考案のトイレ用手摺り棚ユニットにより、限られたトイレのスペースを有効、且つ、機能的に用いることができる。
【考案を実施するための最良の形態】
【００２３】
この考案の一実施形態を、以下図面を用いて説明する。  
（第一実施形態）  
第一実施形態におけるトイレ用手摺り棚ユニット１１は、図１、及び、図２（ａ），（ｂ），（ｃ），（ｄ）に示すように構成している。  
なお、図１は、第一実施形態におけるトイレ用手摺り棚ユニット１１を側壁面に設けたトイレの外観を示し、適宜、配管などの構成を省略して要部のみを示した外観説明図である。さらに図２（ａ）は、第一実施形態におけるトイレ用手摺り棚ユニット１１の正面図、図２（ｂ）は、図２（ａ）におけるＡ−Ａ断面矢視図、図２（ｃ）は、図２（ａ）におけるＢ−Ｂ断面矢視図、及び、図２（ｄ）は、図２（ａ）におけるＣ−Ｃ断面矢視図である。
【００２４】
第一実施形態におけるトイレ用手摺り棚ユニット１１は、トイレの右側壁面Ａに凹状に形成された凹状壁面部１２を備えている。  
なお、上記右側壁面Ａとは、トイレの便座Ｃ（便器Ｃ）に着座している利用者から視て右側の壁面を示す。
【００２５】
上記凹状壁面部１２は、具体的にトイレの右側壁面Ａにおける便器Ｃに対して前側部位に形成されている。トイレ用手摺り棚ユニット１１には、上記凹状壁面部１２によって図２（ａ），（ｂ）の仮想線で囲んだような凹状空間２２が構成され、該凹状空間２２の大きさは、目安として奥行きが約９０ｍｍから約１００ｍｍ、高さ（縦）が約６００ｍｍ、幅（横）が約３４０ｍｍで構成することができる。
【００２６】
上記凹状空間２２には、２枚の木製の棚板１３，１４が水平に設置されている。さらに詳しくは、２枚の棚板１３，１４における一方の棚板１３（以下、「下部棚板１３」という。）は、凹状壁面部１２の下端面に敷設されている。これに対して他方の棚板１４（以下、「手摺り兼用棚板１４」という。）は、凹状空間２２の上下方向の中間よりも下側部位、例えば、床面から約７００ｍｍ程度の高さで架設されている。
【００２７】
上記手摺り兼用棚板１４は、図２（ｂ）に示すように、その前方端部を除いた略全周縁部を、凹状壁面部１２によって支持された状態で取り付いている。
【００２８】
さらに、図２（ｂ），（ｄ）に示すように上記手摺り兼用棚板１４には、その奥行き方向の前端部に人手が差し込み可能な長さのスリット状の貫通孔１５が形成されている。上記貫通孔１５は、上記手摺り兼用棚板１４における凹状空間２２の幅方向における正面視右端側部位から中央よりやや左側部位にかけてのスリット長さで形成している。
【００２９】
上記手摺り兼用棚板１４における上記貫通孔１５の前側縁部（以下、「把持部１６」という。）は、手摺りとして把持可能な太さ、及び、長さで形成している。
【００３０】
なお、上記下部棚板１３の前側縁部と上記手摺り兼用棚板１４の前側縁部とは、ともに図２（ｂ），（ｃ）に示すように、トイレの右側壁面Ａに対してやや（例えば、約４０ｍｍ程度）突き出した形態をしている。
【００３１】
さらに、上記凹状空間２２の上記手摺り兼用棚板１４に対して下側の空間は、把持部１６を把持したとき人手が干渉しない大きさであるとともに、図１に示したように予備用のトイレットペーパーＢを下部棚板１３に起立した状態で収容しておくことができる大きさ、すなわち、目安として約２００ｍｍ程度の高さを有して構成されている。
【００３２】
一方、上記凹状空間２２の上記手摺り兼用棚板１４に対して上側の空間（以下「上方凹状空間２３」という。）は、利用者が把持部１６を把持した状態で右肘を立てた姿勢の右腕における少なくとも前腕部Ｄａ（手から肘までの間）が入り込むことができるような大きさを有している。
【００３３】
さらに、上記上方凹状空間２３には、図２（ａ），（ｄ）に示すようにトイレットペーパーＢを保持しておくペーパーホルダ１７が備えている。
【００３４】
但し、上記ペーパーホルダ１７は、上記上方凹状空間２３の正面視左側の空間、すなわち、把持部１６の上方空間に対して左側に偏移させた空間に備えられている。これにより、上方凹状空間２３における把持部１６の上方空間（正面視右側の空間）には、把持部１６を把持した状態で右肘を立てた姿勢での前腕部が入り込むことを許容する大きさの空間（以下、「前腕部許容空間２３ａ」という。）を確保している。  
なお、上述した前腕部許容空間２３ａは、図２（ａ），（ｄ）中、一点鎖線で囲んだ範囲内の空間であり、目安として高さが約３８５ｍｍ、幅が約１７０ｍｍの大きさを確保して構成されている。
【００３５】
続いて上述した構成におけるトイレ用手摺り棚ユニット１１の一実施例を図３（ａ）―１，（ａ）―２，（ｂ）―１，（ｂ）―２、及び、図４（ｃ）―１，（ｃ）―２を用いて以下で説明する。  
なお、図３（ａ）―１，（ａ）―２は、いずれも利用者Ｄが便座Ｃに着座している様子を示す説明図であり、図３（ｂ）―１，（ｂ）―２は、いずれも利用者Ｄが便座Ｃから起立した様子を示す説明図である。さらに、図４（ｃ）―１，（ｃ）―２は、いずれも利用者Ｄが便座Ｃから起立する途中過程を示す説明図である。
【００３６】
例えば、利用者Ｄが便座Ｃに着座している状態から起立する際には、まず、利用者Ｄは、図３（ａ）―１，（ａ）―２に示すように、把持部１６を右手で把持する。
【００３７】
利用者Ｄは、起立動作の際に、手摺り兼用棚板１４に対して徐々に右肘を立てていき、しっかりと手摺り兼用棚板１４に体重をかけて立ち上がることができる。  
このとき第一実施形態におけるトイレ用手摺り棚ユニット１１は、図４（ｃ）―１，（ｃ）―２に示すように上記前腕部許容空間２３ａを確保しているため、利用者Ｄの前腕部Ｄａを、把持部１６を把持した状態で右肘を立てた姿勢としても右腕の前腕部Ｄａが右側壁面Ａに干渉することなしに立ち上がることができる。
【００３８】
このように、利用者Ｄは、把持部１６を把持しながら徐々に右肘を立てた姿勢をとることにより、手摺り兼用棚板１４に対して自らの体重をかけながら起立動作をスムーズに行うことができ、最終的に図３（ｂ）―１，（ｂ）―２に示すように起立することができる。
【００３９】
上述したように起立動作を行うことにより、利用者Ｄは、立ち上りの際にバランスを崩すことなく、しかも、膝や腰などに負担をかけることがない。
【００４０】
また、上述したトイレ用手摺り棚ユニット１１は、下部棚板１３、手摺り兼用棚板１４のいずれの棚板１３，１４も右側壁面Ａに対して上記凹状空間２２へ退避させて構成しているため、トイレのスペースが狭くなることを回避することができ、利用者Ｄがトイレ使用時に邪魔になることもない。しかも、棚板としての下部棚板１３、及び、手摺り兼用棚板１４の設置スペースを充分、確保することができる。  
従って、限られたトイレのスペースを有効に活かすことができる。
【００４１】
また、第一実施形態の手摺り兼用棚板１４は、トイレの壁面に片持ち支持された取付け構造ではなく、その前端部を除く略全周端部が凹状壁面部１２に支持された取付け構造である。このため、手摺り兼用棚板１４は、利用者Ｄが便座Ｃに対して起立動作、又は、着座動作を行う際に該手摺り兼用棚板１４に体重をかけても、しっかりとその体重を支えることができるというメリットを有する。
【００４２】
その他にも手摺り兼用棚板１４は、トイレの右側壁面Ａに対して突き出した形態ではなく該右側壁面Ａに対して奥方へ退避させたコンパクトで良好な見栄えで構成することができ、さらに、棚と手摺りを別々に構成する形態と比較してコストもかからないといったメリットも有する。
【００４３】
以下では、第二実施形態におけるトイレ用手摺り棚ユニット２１について説明するが、第一実施形態におけるトイレ用手摺り棚ユニット１１と同様の形態については、同一の符号を付してその説明を省略する。  
（第二実施形態）  
第二実施形態におけるトイレ用手摺り棚ユニット２１は、図５（ｄ），（ｅ）に示すような手摺り兼用棚板２４を備えて構成している。この手摺り兼用棚板２４は、該手摺り兼用棚板２４の前端部における把持部１６を含めた貫通孔１５の周縁部がそれ以外の部位に対して便器Ｃ側へ突き出した形態で構成している。  
なお、図５（ａ）は、第二実施形態におけるトイレ用手摺り棚ユニット２１の外観説明図であり、図５（ｂ）は、図２（ｂ）に対応させて示した第二実施形態における手摺り兼用棚板２４の構成説明図である。
【００４４】
具体的に、第二実施形態におけるトイレ用手摺り棚ユニット２１は、図５（ｄ），（ｅ）に示すように凹状空間２２を正面視したとき、把持部が約２０度程度の傾斜角になるよう把持部１６の左側部位が右側部位よりも突き出した形態をしている。
【００４５】
このように手摺り兼用棚板２４を、把持部１６が便器Ｃ側へ突き出した形態で形成すことにより、把持部１６は、便座Ｃの側へと略対向する形態となり、利用者Ｄにとって把持し易い位置関係となる。
【００４６】
すなわち、利用者Ｄは、便器Ｃに着座している状態からであっても、把持部１６を容易に把持することができる。さらに、利用者Ｄと把持部１６との間隔を短くすることができるため、利用者Ｄは、例えば、起立動作の際により一層、手摺り兼用棚板２４に対して体重をかけ易くなりスムーズに起立することができる。
【００４７】
しかも、手摺り兼用棚板２４は、凹状空間２２に位置する部位と、該凹状空間２２に対して突き出した部位とにより構成されるため、広い棚板スペースを確保することができる。
【００４８】
このように第二実施形態トイレ用手摺り棚ユニット２１は、比較的広い空間を有するトイレにおいて構成するに適した形態であるといえる。
【００４９】
（第三実施形態）  
第三実施形態におけるトイレ用手摺り棚ユニット３１における殊に手摺り兼用棚板３４は、図６に示すように構成している。  
なお、図６は、第三実施形態におけるトイレ用手摺り棚ユニット３１の構成を、要部を拡大して縦断面で示した構成説明図である。  
具体的に、手摺り兼用棚板３４は、上述した実施形態の手摺り兼用棚板１４，２４と同様に把持部３６を含めて木製であるが、本実施形態の把持部３６は、その外周部にウレタン部材３２が包囲されている。このように把持部３６の表面をウレタン部材３２で構成することにより、該把持部３６を利用者が繰り返し把持しても、木製のみで構成した把持部の表面のように木の繊維や木目の隙間に細菌や汚れが付着したり含浸したりし難くなり、又、汚れなどが付着しても拭き取り易く構成することができる。
【００５０】
従って、第三実施形態におけるトイレ用手摺り棚ユニット３１は、人手が直接、しかも繰り返し触れることになる把持部３６を衛生的に保つことができるというメリットを有する。
【００５１】
さらに、このように把持部３６の表面をウレタン部材３２で構成することにより、把持したときのフィット感に優れ、例えば、起立動作の際にも把持部３６を滑り難くすることができるというメリットも有する。
【００５２】
また、上述の実施形態と、この考案の構成との対応において、この実施形態の手摺り兼用棚板１４，２４，３４は、この考案の把持部が形成された棚に対応し、以下同様に、
上方凹状空間２３は、上方側の上方空間に対応し、
前腕許容空間２３ａは、上記上方空間における上記把持部の上方側の空間に対応し、
下部棚板１３は、第二の棚に対応するも、
本考案のトイレ用手摺り棚ユニットは、上述した本実施形態のトイレ用手摺り棚ユニット１１，２１，３１の実施形態のみに限定されるものではなく、多くの実施形態を得ることができる。
【図面の簡単な説明】
【００５３】
【図１】第一実施形態におけるトイレ用手摺り棚ユニットの外観説明図。
【図２】第一実施形態におけるトイレ用手摺り棚ユニットの構成説明図。
【図３】第一実施形態におけるトイレ用手摺り棚ユニットの作用説明図。
【図４】第一実施形態におけるトイレ用手摺り棚ユニットの作用説明図。
【図５】第二実施形態におけるトイレ用手摺り棚ユニットの構成説明図。
【図６】第三実施形態におけるトイレ用手摺り棚ユニットの構成説明図。
【符号の説明】
【００５４】
１１，２１，３１…トイレ用手摺り棚ユニット
１２…凹状壁面部
１３…下部棚板
１４，２４，３４…手摺り兼用棚板
１５…貫通孔
１６，３６…把持部
１７…ペーパーホルダ
２２…凹状空間
２３ａ…前腕部許容空間
３２…ウレタン部材
Ａ…トイレ右側壁面
Ｂ…トイレットペーパー
Ｃ…便座（便器）
Ｄａ…前腕部
【図１】
0003129487.tif 000003
【図２】
0003129487.tif 000004
【図３】
0003129487.tif 000005
【図４】
0003129487.tif 000006
【図５】
0003129487.tif 000007
【図６】
0003129487.tif 000008